(57)【要約】      （修正有）【課題】妊婦が理解しやすく簡単に実施できるよう、胎教の指導に関する事項を詩歌に詠みこんだ、カルタ風の胎教指導書を提供する。【解決手段】胎教の指導に関する事項を詠みこんだ詩歌記載部１と、該詩歌記載部に付記する形で、詩歌に関連する指導事項を簡明に記載した指導事項記載部２とを設ける。また、上記カルタ風胎教指導書において、該詩歌記載部に付記する形で、詩歌に関連する胎児に語りかけるための台詞を簡明に記載した台詞記載部４とを設ける。また、胎教の指導に関する事項を詠みこんだ詩歌記載部を有してなるカルタ風胎教指導書に、胎教のスケジュール表や御符などをセットにする。【選択図】図２
2005004151.tif 000002
【特許請求の範囲】
【請求項１】
胎教の指導に関する事項を詠みこんだ詩歌記載部と、該詩歌に関連する指導事項を簡明に記載した指導事項記載部とを有することを特徴とするカルタ風胎教指導書。
【請求項２】
胎教の指導に関する事項を詠みこんだ詩歌記載部と、該詩歌に関連する胎児に語りかけるための台詞を簡明に記載した台詞記載部とを有することを特徴とするカルタ風胎教指導書。
【請求項３】
胎教の指導に関する事項を詠みこんだ詩歌記載部を有してなるカルタ風胎教指導書に、胎教のスケジュール表がセットされたことを特徴とするカルタ風胎教指導書。
【請求項４】
胎教の指導に関する事項を詠みこんだ詩歌記載部を有してなるカルタ風胎教指導書に、芳香カードがセットされたことを特徴とするカルタ風胎教指導書。
【請求項５】
胎教の指導に関する事項を詠みこんだ詩歌記載部を有してなるカルタ風胎教指導書に、笑顔を表示したシールがセットされたことを特徴とするカルタ風胎教指導書。
【請求項６】
胎教の指導に関する事項を詠みこんだ詩歌記載部を有してなるカルタ風胎教指導書に、護符がセットされたことを特徴とするカルタ風胎教指導書。
【発明の詳細な説明】
【０００１】
【発明の属する技術分野】
本発明は、妊婦が容易に理解し実施することができるよう構成されたカルタ風の胎教指導書に関するものである。
【０００２】
【従来の技術】
従来からの胎教に関する書物は、胎教に関する情報や胎教のノウハウなどを、編集された項目ごとに文章、表、データ、などを記載したものであって、文章は長文であり一読で書物全般を理解しその内容に沿って胎教を実施するには不適なものであった。（例えば、非特許文献１、２参照）。
また、従来技術の中には、学習内容を歌に詠みこんだ「社会科学習かるた並びに補助札」がある（例えば、特許文献１参照）。同様に、歴史年表を歌に詠みこんだ「歴史年表早覚え学習カルタ」がある（例えば、特許文献２参照）。
また、従来技術の中には、薬剤の服用方法などを指導する「薬剤指導書」がある（例えば、特許文献３参照）。
【０００３】
【非特許文献１】
ジツコ・スセディック著「胎児はみんな天才だ」祥伝社、平成２年７月２５日、ｐ．３−２０７
【非特許文献２】
森本義晴著「おなかの赤ちゃんとおしゃべりしてますか」株式会社ごま書房、１９９９年５月２０日、ｐ．３−１８６
【特許文献１】
特開平１０−３１９８３５号公報（請求項１−６、図１−４）
【特許文献２】
実登第３０２６７５４号公報（請求項１、図１−２）
【特許文献３】
特開平１１−２８８７７号公報（請求項１−２、図１）
【０００４】
【発明が解決しようとする課題】
妊婦が理解しやすく簡単に実施できるよう、胎教の指導に関する事項を詩歌に詠みこんだ、カルタ風の胎教指導書を提供しようとするものである。
本発明では、詩歌記載部のほかに指導事項記載部を設けたり、また、胎児に語りかけるための台詞記載部を設けたり、或いは、スケジュール表や護符などをセットすることによって、容易に、かつ、胎教的理論に叶った効果的な胎教を実施できるよう創案されたカルタ風胎教指導書を提供しようとするものである。
【０００５】
【課題を解決するための手段】
上記課題を解決するため、本発明のカルタ風胎教指導書は、胎教の指導に関する事項を詠みこんだ詩歌記載部と、該詩歌記載部に付記する形で、詩歌に関連する指導事項を簡明に記載した指導事項記載部とを設ける。
【０００６】
また、胎教の指導に関する事項を詠みこんだ詩歌記載部と、該詩歌記載部に付記する形で、詩歌に関連する胎児に語りかけるための台詞を簡明に記載した台詞記載部とを設ける。
【０００７】
また、胎教の指導に関する事項を詠みこんだ詩歌記載部を有してなるカルタ風胎教指導書と、胎教のスケジュール表をセットにする。
【０００８】
また、胎教の指導に関する事項を詠みこんだ詩歌記載部を有してなるカルタ風胎教指導書と、芳香カードをセットにする。
【０００９】
また、胎教の指導に関する事項を詠みこんだ詩歌記載部を有してなるカルタ風胎教指導書と、笑顔を表示したシールをセットにする。
【００１０】
また、胎教の指導に関する事項を詠みこんだ詩歌記載部を有してなるカルタ風胎教指導書と、護符をセットにする。
【００１１】
【発明の実施の形態】
本発明によるカルタ風胎教指導書は、いわゆるカルタのように詩歌毎にカード化されたものが望ましい。しかしながら、本発明によるカルタ風胎教指導書は、詩歌毎にカード化されたカルタ風胎教指導書に限定されるものではない。
例えば、一枚の紙を詩歌の数に見合う区画に分割した枠を設け、その区画枠ごとに、詩歌記載部と、該詩歌に関する指導事項記載部を設けたものを配置するという実施の形態が存在する。この場合、安価に製作できるというメリットと共に一覧性に富んだ指導書を提供することができる。また、利用者にとっては、壁面などに掲示することにより、折に触れ目視して自然と覚えられるというメリットも生じるものである。従って、上記実施形態を選択することも有効である。
また、上記の実施形態は、その区画枠ごとに折り畳める折畳式冊子形態で製品化することもできる。この場合、利用者にとっては、携帯に便利になると共に、詩歌毎にカード化した場合に比べ、その一部を紛失するといったおそれがなくなるというメリットが生じる。従って、折畳式冊子形態を選択することも有効である。
また、カルタ取りゲームに使用されるカルタのように詩歌毎にカード化する実施形態では、ケースなどに収容して製品の高級化を図りやすくなると共に、所望の詩歌のカードを一番上に置いて集中的に習得、実施することができるというメリットが生じる。なお、詩歌には、和歌、俳句、川柳などのほか、「犬も歩けば，棒に当たる」のような教訓的な句や「マッチ一本火事の元」のような警告的な標語など、指導的効果を有するものは機能的同一物として含まれる。
指導事項記載部を設け、詩歌に関連する指導事項について、このようにしなさい、あのようにしよう、などと指導事項を簡明に記載することによって、詩歌の記載部と指導事項の記載部との相互参照が容易にでき、また、詩歌の内容の及ばない指導事項についても知ることができて好都合である。
また、詩歌の内容の及ばない指導事項について、このようにしなさい、あのようにしよう、などと具体的に知らしめることによって、簡単明快で実施し易い実用的なカルタ風胎教指導書を提供することができる。
また、詩歌に関連する指導事項を付記することによって、詩歌を口ずさむことによって関連する指導事項を想起したり、或いは、指導事項を実施することによって関連する詩歌を想起したりすることができるので、詩歌を忘れにくくしたり、指導事項を忘れにくくしたりする効果が生じる。
なお、指導事項の記載は、一項目に限定されず、複数の項目を記載することも選択される。
また、望ましくは、胎教を実施するについての目的、ポイント、アドバイス、効果、或いは詩歌の解説などの補足事項を記載するための補足事項記載部を設ける。補足事項を付記することによって、詩歌の内容の及ばない事項や指導事項では知れない事項について知ることができて好都合である。
なお、指導事項、補足事項を、紙葉の裏面に記載する形態も存在する。また、絵カルタのように、詩歌に関する絵や写真を適宜記載する形態も存在する。
請求項２のように、詩歌に関連する胎児に語りかけるための台詞を付記した場合には、その台詞を妊婦に喋らせるという方法により胎教の実施の容易化が図れると共に、台詞の語句を適宜変更するだけで容易に応用できて好都合である。
なお、台詞の記載は、一に限定されず、複数記載することも選択される。
また、望ましくは、指導事項や補足事項を適宜付記する。これらの台詞や指導事項、或いは、補足事項は、紙葉の裏面に記載する形態も存在する。また、絵カルタのように、詩歌に関する絵や写真を適宜記載する形態も存在する。
台詞例を複数例記載する実施形態には、異なる状況における台詞例を数例記載する実施形態と、同じ状況においてのステップ別の台詞例を数例記載する実施形態が存在する。異なる状況における台詞例を数例記載する場合には、胎児への語りかけの要点やコツを把握、理解することが容易になるので自分流にアレンジしやすいというメリットが生じ、同じ状況においてのステップ別の台詞例を数例記載する場合には、胎児の成長に合わせて語りかけの内容にどのように変化をつけるべきかを理解しやすくなるというメリットが生じる。
勿論、上記の実施形態は択一的に選択しなければならないものではなく適宜組み合わせた台詞例を記載することもできる。
請求項３のように、胎教の指導に関する事項を詠みこんだ詩歌記載部を有してなるカルタ風胎教指導書に、スケジュール表をセットにする実施形態は、例えば、スケジュール表を折畳式冊子形態のカルタ風胎教指導書の一区画枠内に印刷するような形態、言い換えれば、カルタ風胎教指導書と一体にセットする形態と、スケジュール表を折畳式冊子形態のカルタ風胎教指導書やカード化されたカルタ風胎教指導書に添付する形でセットにする形態とが存在する。
胎教の指導に関する事項を詠みこんだ詩歌記載部を有してなるカルタ風胎教指導書には、指導事項や補足事項などの付記のない構成も含まれるが、指導事項や補足事項などの付記された形態が望ましいものである。
スケジュール表は、どのような時期に、どのような胎教を行えば良いか胎児の成長などを基に作成された表であって、詩歌や指導事項などとの相互参照ができ、スケジュール表をセットにすることにより、スケジュール表に従い胎児の成長に相応しい胎教理論に叶った順序で胎教を実施することができる。
また、スケジュール表をセットにすることにより、詩歌には詠みこみ難いスケジュールに関する詩歌作りを省略したり、ステップ毎に詩歌をカード化したりするのを省略したりすることができる。これにより、カルタ風胎教指導書を省力的、省資源的に作成することができる。スケジュールには、プログラム、カリキュラムなどが機能的同一物として含まれる。
請求項４のように、胎教の指導に関する事項を詠みこんだ詩歌記載部を有してなるカルタ風胎教指導書に、芳香カードをセットにする実施形態には、芳香カードを、折畳式冊子形態のカルタ風胎教指導書やカード化されたカルタ風胎教指導書に添付する形でセットにする形態が存在する。
請求項４のカルタ風胎教指導書も、指導事項や補足事項などの付記のない構成が含まれるが、指導事項や補足事項などの付記された形態が望ましい。
芳香カードは、例えば、香りを放出させる機能を付与した芳香インクを用いて印刷することにより得られる。具体例では、香料をマイクロカプセルに封じ込めてインク化したような芳香インクを用いて印刷することにより得られる。香りを放出させる機能を付与した芳香インクは、カプセル化していない香料をインクに混ぜ合わせても得られる。また、芳香カードは、ラミネートされた中間層より香りを放出するよう構成された芳香フィルムを用いて作ることもできる。
芳香カードには、リラックスカードやアロマカードなどと呼ばれる香りを放出させる機能を付与されたカードが機能的同一物として含まれる。
香料にはラベンダーやイランイランなど、リラックス効果を有するものが選択される。カードから放出される芳香を嗅ぐことによってリラックスできるものである。
妊婦の精神状態が胎教の効果にも影響を及ぼすといわれており、胎教を行うのに好ましいとされるリラックスした状態を作り出すためのツールとなる。
また、妊婦の嗅覚を通して胎児に香りを伝える目的で使用させる教材として兼用できる。
請求項５のように、胎教の指導に関する事項を詠みこんだ詩歌記載部を有してなるカルタ風胎教指導書に、笑顔を表示したシールをセットにする実施形態には、カード化されたシールを折畳式冊子形態のカルタ風胎教指導書やカード化されたカルタ風胎教指導書に添付する形でセットにする形態が存在する。シールには、ラベルやステッカーなどが機能的同一物として含まれる。
請求項５のカルタ風胎教指導書も、指導事項や補足事項などの付記のない構成が含まれるが、指導事項や補足事項などの付記された形態が望ましい。
笑顔を表示したシールとは、表面に笑顔の写真や笑顔のイラストなど、笑顔を表示し、裏面に粘着剤を塗布されたシールであって、シールは鏡などに貼り付けて使用し、妊婦がそのシールを見る都度笑顔を作り、心を和らげて胎教に適した精神状態を作り出すためのツールとして利用できる。また、よく笑う赤ちゃんを作る目的に使用させる胎教のツールとして兼用できる。
請求項６のように、胎教の指導に関する事項を詠みこんだ詩歌記載部を有してなるカルタ風胎教指導書に、護符をセットにする実施形態には、例えば、私製護符を折畳式冊子形態のカルタ風胎教指導書の一区画枠内に印刷するような形態、言い換えれば、カルタ風胎教指導書と一体にセットする形態と、カード化された私製護符又は神社やお寺が授与する護符を折畳式冊子形態のカルタ風胎教指導書又はカード化されたカルタ風胎教指導書に添付する形でセットにする形態とが存在する。
請求項６のカルタ風胎教指導書にも、指導事項や補足事項などの付記のない構成が含まれるが、指導事項や補足事項などの付記された形態が望ましい。
護符には神社やお寺が授与する護符のほか、護符に擬えて作成された私製の護符を含む。
また、護符の形式的形態としては、護符、祈願札、お守り、などの形態とすることができ、胎教に関する祈願の成就や加護を願って使用するものが含まれる。
護符をセットにすることにより、護符を身に付けたり祀ることができ、精神的に安定した胎教上望ましい精神状態で胎教を実施することができる。
また、カルタ風胎教指導書と護符をセットにする場合、胎教に関する祈願の成就や加護を願う胎教用の護符を、安産を併願する護符として兼用化でき、合理的、経済的な護符とのセットにすることができる。
【００１２】
【実施例】
以下実施例について説明する。
図１は、請求項１によるカード化されたカルタ風胎教指導書の一実施例を示す平面図である。
カード化されたカルタ風胎教指導書Ａの詩歌記載部１に、胎教の指導に関する事項を詠みこんだ詩歌が横書きで記載されている。頭音の一文字は、丸囲い文字で表示されている。詩歌記載部１の下部に指導事項記載部２が設けられ、詩歌に関連する指導事項が簡明に記載されている。また、指導事項記載部２の下部に、望ましい実施形態の一例として、補足事項記載部３が設けられ、胎教を実施することによる効果が補足事項として記載されている。
図２は、請求項２によるカード化されたカルタ風胎教指導書の一実施例を示す平面図である。
カード化されたカルタ風胎教指導書Ａの詩歌記載部１に、胎教の指導に関する事項を詠みこんだ詩歌が横書きで記載されている。頭音の一文字は、丸囲い文字で表示されている。詩歌記載部１の下部に台詞記載部４が設けられ、胎児に語りかけるための台詞が簡明に記載されている。また、台詞記載部４の下部に、望ましい実施形態の一例として、指導事項記載部２を設けて指導事項を、また、その下部に補足事項記載部３を設けて補足事項が、それぞれ記載されている。なお、指導事項、補足事項、台詞の記載順序は限定されるものではない。
図３は、スケジュール表の一実施例を示す平面図である。
カード型の紙葉に、胎教のスケジュールＢがスケジュール表５として表示されている。
図４は、芳香カードの一実施例を示す平面図である。
芳香カード６は、プラスチックシートに、香料をマイクロカプセルに封じ込めてインク化した芳香インクを用いて図と文字が印刷Ｃされている。
実施例の芳香カードは、芳香インクを用いて印刷された部分を擦ることによって、香りが放出される。
図５は、笑顔を表示したシールの一実施例を示す平面図である。
笑顔を表示したシール７は、粘着層を介して非粘着性台紙が予め裏張りされた用紙に、笑顔のイラストＤが印刷されている。
図６は、カード形に作成した護符の一実施例を示す平面図である。
カード形の紙葉に、護符８であることの表示Ｅとしての文字と図が印刷され、私製護符が作成されている。また、願文を記載するための願文欄と祈願をする人の氏名などを記載するための願主欄が設けられている。なお、実施例では、望ましい実施形態の一例として、胎教に関する祈願の成就と加護を願うための胎教用の護符を、安産を併願する護符として兼用できるよう作成されている。
【００１３】
【発明の効果】
胎教の指導に関する事項を詠みこんだ詩歌記載部のほかに指導事項記載部を設け、詩歌に関連する指導事項について、このようにしなさい、あのようにしよう、などと指導事項を簡明に記載することによって、詩歌の記載部と指導事項の記載部との相互参照が容易にでき、また、詩歌の内容の及ばない指導事項についても知ることができて好都合である。
また、詩歌の内容の及ばない指導事項についても知らしめることができることによって、指導書としての実用性を高めることができ、簡単明快で実用的なカルタ風胎教指導書を提供することができる。また、詩歌の内容の及ばない指導事項についての例を、このようにしなさい、あのようにしよう、などと具体的に知らしめることによって、簡単明快で実施し易いカルタ風胎教指導書を提供することができる。
また、詩歌に関連する指導事項を付記することによって、詩歌を口ずさむことによって関連する指導事項を想起したり、或いは、指導事項を実施することによって関連する詩歌を想起したりすることができるので、詩歌を忘れにくくしたり、指導事項を忘れにくくしたりする効果が生じる。
また、胎児に語りかけるための台詞を付記した場合には、その台詞を妊婦に喋らせるという方法により胎教の実施の容易化が図れると共に、台詞の語句を適宜変更するだけで容易に応用できて好都合である。
また、スケジュール表をセットにすることにより、詩歌や指導事項と相互参照をして、スケジュール表に従い胎教理論に叶った順序で胎教を実施することができる。
また、スケジュール表をセットにすることにより、詩歌には詠みこみ難いスケジュールに関する詩歌作りを省略したり、ステップ毎に詩歌をカード化したりするのを省略したりすることができる。これにより、カルタ風胎教指導書を省力的、省資源的に作成することができる。
また、芳香カードをセットにすることにより、胎教を行うのに好ましいとされるリラックスした状態を作り出すためのツールとして利用できる。また、妊婦の嗅覚を通して胎児に香りを伝える目的に使用させる教材として兼用できるので、合理的、経済的な胎教用ツールとなる。
また、笑顔を表示したシールをセットにすることにより、シールを鏡などに貼り付けて使用し、妊婦がそのシールを見る都度笑顔を作り、心を和らげて胎教に適した精神状態を作り出すためのツールとして利用できる。また、よく笑う赤ちゃんを作る目的に使用させる胎教のツールとして兼用できるので、合理的、経済的な胎教用ツールとなる。
また、カルタ風胎教指導書と護符をセットにすることにより、護符を身に付けたり祀ることができ、精神的に安定した胎教上望ましい精神状態で胎教を実施することができる。
また、カルタ風胎教指導書と護符をセットにする場合、胎教に関する祈願の成就や加護を願う胎教用の護符を、安産を併願する護符として兼用化でき、合理的、経済的な護符とのセットにすることができる。
【図面の簡単な説明】
【図１】カード化されたカルタ風胎教指導書の一実施例を示す平面図である。
【図２】カード化されたカルタ風胎教指導書の一実施例を示す平面図である。
【図３】スケジュール表の一実施例を示す平面図である。
【図４】芳香カードの一実施例を示す平面図である。
【図５】笑顔を表示したシールの一実施例を示す平面図である。
【図６】護符の一実施例を示す平面図である。
【符号の説明】
１  詩歌記載部
２  指導事項記載部
３  補足事項記載部
４  台詞記載部
５  スケジュール表
６  芳香カード
７  笑顔を表示したシール
８  護符
Ａ  カード化されたカルタ風胎教指導書
Ｂ  スケジュール
Ｃ  芳香インクを用いた印刷
Ｄ  笑顔のイラスト
Ｅ  護符であることの表示
【図１】
2005004151.tif 000003
【図２】
2005004151.tif 000004
【図３】
2005004151.tif 000005
【図４】
2005004151.tif 000006
【図５】
2005004151.tif 000007
【図６】
2005004151.tif 000008